(57)【要約】【課題】スライド移動機構部を小型化することにより、収容ケースの内容積を増大化する。【解決手段】貯蔵室２０を有する冷蔵庫本体２と貯蔵室２０に設けられる収容ケース５との間に設けられ、引出式扉４をスライドさせるスライド開閉機構６を有する冷蔵庫１００であって、スライド開閉機構６は、貯蔵室２０の側壁２０１側に固定される固定フレーム６１と、固定フレーム６１に沿ってスライドするスライドフレーム６２と、スライドフレーム６２に固定されるケーブルハウジング９とを有し、スライドフレーム６２の平面部６２３が収容ケース５側に折り曲げられた折り曲げ部６２４を有しており、折り曲げ部６２４に電線ケーブル８の少なくとも一部が収容された状態で電線ケーブル８がケーブルハウジング９に収容されている。【選択図】図２
2020076507.tif 000002
【特許請求の範囲】
【請求項１】
貯蔵室を有する冷蔵庫本体と前記貯蔵室に設けられる収容ケースとの間に設けられ、引出式扉をスライドさせるスライド開閉機構を有する冷蔵庫であって、
前記スライド開閉機構は、
前記貯蔵室の側壁側に固定される固定フレームと、
前記固定フレームに沿ってスライドするスライドフレームと、
前記スライドフレームに固定されるケーブルハウジングと、を有し、
前記スライドフレームは、前記収容ケースの側壁に沿った平面部を有しており、当該平面部の下端部が前記収容ケース側に折り曲げられた折り曲げ部を有しており、当該折り曲げ部に電線ケーブルの少なくとも一部が収容された状態で前記電線ケーブルが前記ケーブルハウジングに収容されている、冷蔵庫。
【請求項２】
前記折り曲げ部は、前記平面部の下端部を傾斜状に折り曲げて形成されており、
前記ケーブルハウジングは前記折り曲げ部に設けられている、請求項１記載の冷蔵庫。
【請求項３】
前記平面部における折り曲げ部の上側と前記ケーブルハウジングの側面とが同一平面上となるように構成されている、請求項２記載の冷蔵庫。
【請求項４】
前記収容ケースの後壁後方に前記電線ケーブルを中継する中継コネクタを収容する中継コネクタボックスが設けられており、
前記固定フレームは、前記電線ケーブルを収容する収容空間を形成しており、
前記中継コネクタボックスの側壁が、前記電線ケーブルが前記収容空間からスライドフレーム側へのはみ出しを抑制する押し込み部となる、請求項１乃至３の何れか一項に記載の冷蔵庫。
【請求項５】
前記中継コネクタボックスは、前記スライドフレームの後端部を前記収容ケース側に折り曲げて形成された後端折曲部と、当該後端折曲部とともに空間を形成する前記ケーブルハウジングの後端部とから構成されており、
前記後端折曲部及び前記後端部の接続部が防水構造であり、前記中継コネクタが縦方向に収容されている、請求項４記載の冷蔵庫。
【請求項６】
前記電線ケーブルは、前記固定フレーム側の第１ケーブル要素と、前記スライドフレーム側の第２ケーブル要素とに分割されており、
前記中継コネクタは、前記第１ケーブル要素と前記第２ケーブル要素とを接続するものであり、
前記ケーブルハウジングは、前記第１ケーブル要素を前記固定フレーム側に引き出すためのガイド部を有しており、
前記第１ケーブル要素は、前記ガイド部内部において、前記固定フレームの収容空間の内側に向かって弾性復帰力が働くように折り曲げられたケーブル曲げ部を有している、請求項４又は５記載の冷蔵庫。
【請求項７】
前記ガイド部は、前記中継コネクタボックスからの前記第１ケーブル要素を引き出すものであり、
前記第１ケーブル要素は、前記中継コネクタボックスの内部において、縦方向に配設された縦配設部を有しており、
前記縦配設部に連続して前記ケーブル曲げ部が形成されている、請求項６記載の冷蔵庫。
【請求項８】
前記ガイド部の内部には、前記ケーブル曲げ部が抜けないようにする前記ケーブル曲げ部が係止する抜け防止リブが設けられている、請求項７記載の冷蔵庫。
【請求項９】
前記貯蔵室の側壁と前記固定フレームの側壁部とから前記電線ケーブルが収容される収容空間が形成されており、
前記電線ケーブルは、前記収容空間内において縦方向に折り曲がるループ部を有しており、
前記貯蔵室の側壁と前記固定フレームの側壁部との幅寸法は、前記ループ部が横方向に倒れないように設定されている、請求項１乃至８の何れか一項に記載の冷蔵庫。
【請求項１０】
前記固定フレームは、前記ケーブルハウジングから引き出された前記電線ケーブルを前記貯蔵室の側壁側に導入するためのガイド孔を有しており、
前記ガイド孔の開口縁部内側には、前記貯蔵室の側壁側に突出したガイドフランジが設けられている、請求項１乃至９の何れか一項に記載の冷蔵庫。
【発明の詳細な説明】
【技術分野】
【０００１】
本発明は、引き出し式の扉を有する冷蔵庫に関するものである。
【背景技術】
【０００２】
従来、引き出し式の扉（以下、引出式扉）を有する冷蔵庫としては、特許文献１に示すように、前面開口部を有する貯蔵室が形成された冷蔵庫本体と、前面開口部を開閉するとともに制御盤が設けられた引出式扉と、引出式扉とともに移動する収容ケースと、冷蔵庫本体と前記収容ケースとの間に設けられ、引出式扉をスライドさせるスライド開閉機構と、前記貯蔵室の側壁に設けられた電線引出部及び前記制御盤を電気的に接続する電線ケーブルとを備えたものがある。
【０００３】
スライド開閉機構は、貯蔵室の側壁側に固定され、電線ケーブルを収容する収容空間を形成する固定フレームと、収容ケース側に固定され、固定フレームに沿ってスライドするスライドフレームとを有している。また、スライドフレームには、長手方向に沿って電線ケーブルを収容するケーブルハウジングが設けられている。具体的にケーブルハウジングは、スライドフレームにおける収容ケースの側壁に沿った平面部に設けられている。
【０００４】
そして、この冷蔵庫では、引出式扉の開閉動作に伴い電線ケーブルが固定フレームの収容空間内においてＵ字状に折り曲がりながら伸び縮みするように構成されている。
【０００５】
しかしながら、上記の冷蔵庫では、スライドフレームの平面部にケーブルハウジングが設けられ、ケーブルハウジングが平面部から突出しているので、その突出分を加味して固定フレームとの距離を設定する必要がある。その結果、収容ケースの内容積の大きくするに際して、ケーブルハウジングの突出量がそれを妨げる要因となってしまう。
【先行技術文献】
【特許文献】
【０００６】
【特許文献１】米国特許出願公開２０１１／０１８１１６３号明細書
【発明の概要】
【発明が解決しようとする課題】
【０００７】
そこで本発明は上記問題点を解決すべくなされたものであり、ケーブルハウジングの突出量を小さくすることにより、収容ケースの内容積を増大化することをその主たる課題とするものである。
【課題を解決するための手段】
【０００８】
すなわち本発明に係る冷蔵庫は、貯蔵室を有する冷蔵庫本体と前記貯蔵室に設けられる収容ケースとの間に設けられ、引出式扉をスライドさせるスライド開閉機構を有する冷蔵庫であって、前記スライド開閉機構は、前記貯蔵室の側壁側に固定される固定フレームと、前記固定フレームに沿ってスライドするスライドフレームと、前記スライドフレームに固定されるケーブルハウジングとを有し、前記スライドフレームは、前記収容ケースの側壁に沿った平面部を有しており、当該平面部の下端部が前記収容ケース側に折り曲げられた折り曲げ部を有しており、当該折り曲げ部に前記電線ケーブルの少なくとも一部が収容された状態で前記電線ケーブルが前記ケーブルハウジングに収容されていることを特徴とする。
【０００９】
このようなものであれば、スライドフレームの平面部の下端部を折り曲げて折り曲げ部を形成し、当該折り曲げ部に電線ケーブルの少なくとも一部が収容されているので、その収容分だけケーブルハウジングの突出量を小さくすることができる。その結果、スライドフレームを貯蔵室の側壁側に寄せることができるので、収容ケースの内容積を増大化することができる。
【００１０】
折り曲げ部の具体的な実施の態様としては、前記折り曲げ部は、前記平面部の下端部を傾斜状に折り曲げて形成されており、前記ケーブルハウジングは前記折り曲げ部に設けられていることが考えられる。収容ケースの下側角部は、部分円弧状又は傾斜状とされていることが多いことから、無理なく下端部を傾斜状に折り曲げることができる。また、収容ケースの下側角部に形成されるデッドスペースを有効に活用することができる。
【００１１】
ケーブルハウジングにおける貯蔵室の側壁側への突出量を無くすためには、前記平面部における折り曲げ部の上側と前記ケーブルハウジングの側面とが同一平面上となるように構成されていることが望ましい。
【００１２】
前記収容ケースの後壁後方に前記電線ケーブルを中継する中継コネクタを収容する中継コネクタボックスが設けられており、前記固定フレームは、前記電線ケーブルを収容する収容空間を形成しており、前記中継コネクタボックスの側壁が、前記電線ケーブルが前記収容空間からスライドフレーム側へのはみ出しを抑制する押し込み部となることが望ましい。
この構成であれば、固定フレームの収容空間からの電線ケーブルのはみ出しを部品点数を削減しつつ実現することができる。また、製造コストを低減化することもできる。
【００１３】
中継コネクタボックスの具体的な構成としては、前記中継コネクタボックスは、前記スライドフレームの後端部を前記収容ケース側に折り曲げて形成された後壁部と、前記ケーブルハウジングの後端部に設けられ、前記後壁部とともに空間を形成する側壁部とを有していることが考えられる。
この構成において、前記後壁部及び前記側壁部の上辺部及び側辺部が防水構造であり、前記中継コネクタが縦方向に収容されていることが望ましい。
この構成であれば、中継コネクタ内部への水の侵入を防止することができ、中継コネクタへの防水テープの巻き付け作業を廃止して作業工数を低減することができる。
【００１４】
前記電線ケーブルは、前記固定フレーム側の第１ケーブル要素と、前記スライドフレーム側の第２ケーブル要素とに分割されており、前記中継コネクタは、前記第１ケーブル要素と前記第２ケーブル要素とを接続するものである。
この構成において、前記ケーブルハウジングは、前記第１ケーブル要素を前記固定フレーム側に引き出すためのガイド部を有しており、前記第１ケーブル要素は、前記ガイド部内部において、前記固定フレームの収容空間の内側に向かって弾性復帰力が働くように折り曲げられたケーブル曲げ部を有していることが望ましい。
この構成であれば、電線ケーブルの弾性復帰力によって収容空間から電線ケーブルがはみ出にくくすることができる。
【００１５】
具体的には、前記ガイド部は、前記中継コネクタボックスからの前記第１ケーブル要素を引き出すものであり、前記第１ケーブル要素は、前記中継コネクタボックスの内部において、縦方向に配設された縦配設部を有しており、前記縦配設部に連続して前記ケーブル曲げ部が形成されていることが望ましい。
この構成であれば、収容空間内の電線ケーブルに対して収容空間からはみ出ないような力を好適に作用させることができる。
【００１６】
ケーブル曲げ部の弾性復帰力によりガイド部から電線ケーブルが抜け出てしまうことが考えられる。この問題を解決するためには、前記ガイド部の内部には、前記ケーブル曲げ部が抜けないようにする前記ケーブル曲げ部が係止する抜け防止リブが設けられていることが望ましい。
【００１７】
収容空間の具体的な実施の態様としては、前記貯蔵室の側壁と前記固定フレームの側壁部とから形成されていることが考えられる。この構成において、スライド開閉機構の幅寸法を小さくするためには、前記電線ケーブルは、前記収容空間内において縦方向に折り曲がるループ部を有していることが考えられる。
この構成において、前記貯蔵室の側壁と前記固定フレームの側壁部との幅寸法は、前記ループ部が横方向に倒れないように設定されていることが望ましい。
ループ部が横方向に倒れないようにすることで、スライド開閉機構の動作を安定化することができる。
【００１８】
前記固定フレームは、前記ケーブルハウジングから引き出された前記電線ケーブルを前記貯蔵室の側壁側に導入するためのガイド孔を有している。このガイド孔から電線ケーブルははみ出ないようにするためには、前記ガイド孔の開口縁部内側には、前記貯蔵室の側壁側に突出したガイドフランジが設けられていることが望ましい。
【発明の効果】
【００１９】
以上に述べた本発明によれば、スライド移動機構部を小型化することにより、収容ケースの内容積を増大化することができる。
【図面の簡単な説明】
【００２０】
【図１】本発明の一実施形態に係る冷蔵庫の構成を模式的に示す図である。
【図２】同実施形態のスライド開閉機構の断面図である。
【図３】同実施形態のスライド開閉機構の一部を示す斜視図である。
【図４】同実施形態の中継コネクタボックスを示す斜視図であり、（ａ）は固定フレーム有りの図であり、（ｂ）は固定フレーム無しの図である。
【図５】同実施形態の中継コネクタ及び電線ケーブルの詳細を示す図であり、（ａ）は中継コネクタボックス、中継コネクタ及び電線ケーブルを示す図であり、（ｂ）は中継コネクタ及び電線ケーブルを示す図であり、（ｃ）はガイド部の抜け防止リブを示す図である。
【図６】同実施形態の固定フレームの詳細構造を示す図であり、（ａ）はスライド前の状態を示す図であり、（ｂ）はスライド途中の状態を示す図である。
【発明を実施するための形態】
【００２１】
以下、本発明の一実施形態に係る冷蔵庫について、図面を参照しながら説明する。
【００２２】
＜装置構成＞
本実施形態の冷蔵庫１００は、図１に示すように、前面開口部２１を有する貯蔵室２０が形成された冷蔵庫本体２と、前面開口部２１を開閉するとともに制御盤３が設けられた引出式扉４と、引出式扉４とともに移動する収容ケース５と、冷蔵庫本体２と収容ケース５との間に設けられ、引出式扉４をスライドさせるスライド開閉機構６と、貯蔵室２０の側壁２０１に設けられた電線引出部７及び制御盤３を電気的に接続する電線ケーブル８とを備えている。なお、電線引出部７は、電線ケーブル１０１によって冷蔵庫本体２に設けられた制御基板１０２に接続されている。当該制御基板１０２は、圧縮機等の冷凍サイクルを構成する機器や送風ファン、照明機器を制御するものである。
【００２３】
スライド開閉機構６は、図２に示すように、貯蔵室２０の側壁２０１側に固定され、電線ケーブル８を収容する収容空間Ｓ１を形成する固定フレーム６１と、収容ケース５側に固定されるとともに、固定フレーム６１に沿ってスライドするスライドフレーム６２とを有している。このスライドフレーム６２には、長手方向に沿って電線ケーブル８を収容するケーブルハウジング９が設けられている。ここで、収容空間Ｓ１は、貯蔵室２０の側壁２０１と固定フレーム６１の下側壁部６１ａとから形成されている。
【００２４】
この冷蔵庫１００では、引出式扉４の開閉動作に伴い電線ケーブル８が固定フレーム６１により形成された収容空間Ｓ１内においてＵ字状に折り曲がりながら伸び縮みするように構成されている。なお、制御盤３は、貯蔵室２０内の温度を設定等するものである。
【００２５】
以下にスライド開閉機構６及びその周辺構造について図２〜図６を参照して詳述する。
【００２６】
スライド開閉機構６の固定フレーム６１は、図２及び図３に示すように、引き出し方向である長手方向に沿って延びる第１レール６１１と、当該第１レール６１１を保持するとともに貯蔵室２０の側壁２０１に固定される固定フレーム本体６１２とを有している。
【００２７】
一方、スライド開閉機構６のスライドフレーム６２は、図２及び図３に示すように、ベアリング等の転動体６３及び中間レール６４を介して第１レール６１１に対してスライド移動する第２レール６２１と、当該第２レール６２１を保持するとともに収容ケース５の側壁５１に固定されるスライドフレーム本体６２２とを有している。
【００２８】
スライドフレーム６２のスライドフレーム本体６２２は、特に図２に示すように、収容ケース５の上下方向に延びる側壁５１に沿った平面部６２３を有している。この平面部６２３は、収容ケース５の側壁５１の下側角部５１ａまで延びており、平面部６２３の下端部６２３ａは、長手方向全体に亘って、収容ケース５側に折り曲げられた折り曲げ部６２４を有している。具体的に折り曲げ部６２４は、平面部６２３の下端部６２３ａを傾斜状に折り曲げて形成されており、折り曲げ部６２４は、収容ケース５の下側角部５１ａに対応した位置に直線状に形成されている。なお、本実施形態の収容ケース５の下側角部５１ａは傾斜面を有する形状であり、折り曲げ部６２４は、下側角部５１ａの傾斜面に対応して傾斜している。
【００２９】
そして、電線ケーブル８の少なくとも一部は、図２に示すように、折り曲げ部６２４に電線ケーブル８の少なくとも一部が収容された状態でケーブルハウジング９に収容されている。本実施形態は、折り曲げ部６２４により貯蔵室２０の側壁２０１側に形成された空間Ｓ２に電線ケーブル８が収容されるように構成されている。
【００３０】
ケーブルハウジング９は、図３に示すように、折り曲げ部６２４において長手方向全体に亘って設けられており、図２の部分拡大図に示すように、平面部６２３における折り曲げ部６２４の上側部分とケーブルハウジング９の側壁とが同一平面上となるように構成されている。なお、ケーブルハウジング９の後端部には、電線ケーブル８を固定フレーム６１側に引き出すためのガイド部９１が設けられている。また、ケーブルハウジング９の先端部から引き出された電線ケーブル８は、引出式扉４の内部を通って制御盤３に接続される。
【００３１】
本実施形態のスライド開閉機構６では、図４に示すように、収容ケース５の後壁後方に電線ケーブル８を中継する中継コネクタ１０を収容する中継コネクタボックス１１が設けられている。
【００３２】
中継コネクタ１０は、図５に示すように、固定フレーム６１側の第１ケーブル要素８１と、スライドフレーム６２側の第２ケーブル要素８２とを接続するものである。この中継コネクタ１０により、メンテナンス時などにおいて、電線ケーブル８は、第１ケーブル要素８１と第２ケーブル要素８２とに分割可能に構成されている。
【００３３】
中継コネクタボックス１１は、図４に示すように、概略直方体形状をなすものであり、スライドフレーム６２の後端部を収容ケース５側に折り曲げて形成された後端折曲部６２ａと、後端折曲部６２ａとともに空間を形成するケーブルハウジング９の後端部９ａとから構成されている。
【００３４】
そして、後端折曲部６２ａ及び後端部９ａの接続部が接続構造とされており、具体的には上面及び側面から形成される上辺部１１ｍ及び側辺部１１ｎが防水構造とされている。この防水構造を有する中継コネクタボックス１１において中継コネクタ１０が縦方向に収容されている（図５参照）。本実施形態では、第１ケーブル要素８１のコネクタ１０１が上側に位置し、第２ケーブル要素８２のコネクタ１０２が下側に位置するように収容されている。
【００３５】
また、中継コネクタボックス１１の固定フレーム６１側を向く側壁は、ガイド部９１から引き出された電線ケーブル８が収容空間Ｓ１からスライドフレーム６２側へはみ出さないように抑制する押し込み部１１ｘとなる（図４参照）。
【００３６】
ケーブルハウジング９は、図４に示すように、第１ケーブル要素８１を固定フレーム６１側に引き出すためのガイド部９１を有している。このガイド部９１は、ケーブルハウジング９から延び出た第１ケーブル要素８１を引き出すものである。そして、ガイド部９１は、固定フレーム６１に長手方向に沿って形成されたガイド孔６１ｈに差し込まれて設けられており、スライドフレーム６２の移動に伴ってガイド部９１は、ガイド孔６１ｈを長手方向に沿って移動する。固定フレーム６１に形成されたガイド孔６１ｈは、ケーブルハウジング９のガイド部９１から引き出された電線ケーブル８（第１ケーブル要素８１）を収容空間Ｓ１に配設するためのものである。
【００３７】
ここで、第１ケーブル要素８１は、図５に示すように、ガイド部９１内部において、固定フレーム６１の収容空間Ｓ１の内側（つまり、貯蔵室２０の側壁２０１側）に向かって弾性復帰力が働くように折り曲げられたケーブル曲げ部８１１を有している。このケーブル曲げ部８１１によって、収容空間Ｓ１内の電線ケーブルは貯蔵室２０の側壁２０１側に押さえられるように構成される。
【００３８】
具体的には、第１ケーブル要素８１は、中継コネクタボックス１１の内部において、縦方向に配設された縦配設部８１２を有しており、縦配設部８１２に連続してケーブル曲げ部８１１が形成されている。ここではケーブル曲げ部８１１は水平方向において折り曲げられている。そして、ガイド部９１の内部には、ケーブル曲げ部８１１がガイド部９１から抜けないようにすべく、ケーブル曲げ部８１１の内側に設けられて、ケーブル曲げ部８１１が係止する抜け防止リブ９２が設けられている。
【００３９】
本実施形態の収容空間Ｓ１は、図２に示すように、貯蔵室２０の側壁２０１と固定フレーム６１の下側壁部６１ａとから形成されており、電線ケーブル８、ここでは第１ケーブル要素８１は、収容空間Ｓ１内において縦方向に折り曲がるループ部８１Ｒを有している。そして、貯蔵室２０の側壁２０１と固定フレーム６１の下側壁部６１ａとの幅寸法は、ループ部８１Ｒが横方向に倒れないように設定されている。例えば、ループ部８１Ｒに対向する凸部２０１ｚを側壁２０１に設け、収容空間Ｓ１の幅寸法を狭く設定することで、追加部品を要することなく、ループ部８１Ｒが横方向に倒れることを防止する。
【００４０】
また、固定フレーム６１に形成されたガイド孔６１ｈの開口縁部内側には、収容空間Ｓ１側（貯蔵室２０の側壁２０１側）に突出したガイドフランジ６１Ｆが設けられている。このガイドフランジ６１Ｆによって、電線ケーブル８がガイド孔６１ｈからはみ出ることを防止できる。ガイドフランジ６１Ｆは、下側壁部６１ａに対応する側壁凹部２０１ｙｔの隙間を調整する役割を持っている。スライドフレーム６２が前後に移動しているときに生じる電線ケーブル８にはたわみが生じ、たわみを解消しようとするときに電線ケーブル８がガイド孔６１ｈからはみ出るおそれがある。ガイドフランジ６１Ｆは、この問題を追加部品を要することなく解消するものである。
【００４１】
＜本実施形態の効果＞
本実施形態の冷蔵庫１００によれば、スライドフレーム６２の平面部６２３の下端部６２３ａを折り曲げて折り曲げ部６２４を形成し、当該折り曲げ部６２４に電線ケーブル８の少なくとも一部が収容されているので、その収容分だけケーブルハウジング９の突出量を小さくすることができる。その結果、スライドフレーム６２を貯蔵室２０の側壁２０１側に拡張することができるので、収容ケース５の内容積を増大化することができる。特に本実施形態では、電線ケーブル８が平面部６２３における折り曲げ部６２４の上側部分の外側面よりも収容ケース５側に位置するとともに、ケーブルハウジング９が前記上側部分の外側面と面一であるので、ケーブルハウジング９の突出量をゼロにすることができる。
【００４２】
＜その他の変形実施形態＞
なお、本発明は前記実施形態に限られるものではない。
【００４３】
例えば、前記実施形態では、電線ケーブルの全体が折り曲げ部による形成空間に収容される構成であったが、電線ケーブルの一部が前記形成空間に収容される構成であっても良い。
【００４４】
また、前記実施形態のスライドフレームの折り曲げ部は、下端部を傾斜状に折り曲げたものであったが、その他、湾曲状に折り曲げたものであってもよいし、鉤状等に折り曲げたものであっても良い。その他、平面部を凹状に折り曲げたものであっても良い。
【００４５】
その他、本発明の趣旨に反しない限りにおいて様々な実施形態の変形や組み合わせを行っても構わない。
【符号の説明】
【００４６】
１００・・・冷蔵庫
２・・・冷蔵庫本体
２０・・・貯蔵室
２１・・・前面開口部
３・・・制御盤
４・・・引出式扉
５・・・収容ケース
５１・・・収容ケースの側壁
６・・・スライド開閉機構
７・・・電線引出部
８・・・電線ケーブル
Ｓ１・・・収容空間
６１・・・固定フレーム
９・・・ケーブルハウジング
６２・・・スライドフレーム
６２３・・・平面部
６２３ａ・・・下端部
６２４・・・折り曲げ部
１０・・・中継コネクタ
１１・・・中継コネクタボックス
１１ｘ・・・押し込み部
６２ａ・・・後端折曲部
９ａ・・・後端部
８１・・・第１ケーブル要素
８２・・・第２ケーブル要素
９１・・・ガイド部
８１１・・・ケーブル曲げ部
８１２・・・縦配設部
９２・・・抜け防止リブ
８１Ｒ・・・ループ部
６１ｈ・・・ガイド孔
６１Ｆ・・・ガイドフランジ
【図１】
2020076507.tif 000003
【図２】
2020076507.tif 000004
【図３】
2020076507.tif 000005
【図４】
2020076507.tif 000006
【図５】
2020076507.tif 000007
【図６】
2020076507.tif 000008